(57)【要約】【課題】チェーンガイドを位置固定して回転可能に保持でき、チェーンの弦振動や騒音の発生を防止することができると共に、スプロケットの強度低下を防止できるチェーンガイド装置を提供することを目的とする。【解決手段】チェーンガイド装置１１は、スプロケット１２の両側ボス部１２ａに支持された保持具１６とボス部１２ａとにより固定位置で回転可能に保持されたリング状のチェーンガイド１７で構成される。チェーンがスプロケットに噛み込む部分及び噛み外れる部分における多角形運動上限Ｍにあるチェーン端面１８ａとこのチェーン端面に平行でスプロケットの中心を通る基準線Ｏとの離間距離をＮとし、チェーンガイドの外周半径をＲとした場合、Ｎ≦Ｒの関係にある。この関係により、チェーン多角形運動を抑制し、噛み込み部分及び噛み外れ部分におけるチェーン走行軌跡を一定に維持することができる。【選択図】    図１
2004360764.tif 000002
【特許請求の範囲】
【請求項１】
スプロケットの両側ボス部端部に固定されたフランジとスプロケット歯との間に支持された保持具と、該スプロケットに対して偏心態様で該保持具により固定位置で回転可能に保持されたリング状のチェーンガイドとで構成されてなるチェーンガイド装置において、
チェーンが通常スプロケットに噛み込む部分及び噛み外れる部分における多角形運動上限にあり、スプロケット中心側に位置するチェーン端面と該チェーン端面に平行でスプロケットの中心を通る基準線との離間距離をＮとし、前記チェーンガイドの外周半径をＲとした場合、Ｎ≦Ｒの関係にあることを特徴とするチェーンガイド装置。
【請求項２】
前記保持具は、前記ボス部外周面とチェーンガイド内周面との間に設けられたリテーナと、該リテーナの両側に配設された２つのコロとで構成され、それぞれのコロは、ボス部外周面、リテーナ表面及びチェーンガイド内周面に転動可能に接触していることを特徴とする請求項１記載のチェーンガイド装置。
【請求項３】
前記保持具は、前記ボス部外周面とチェーンガイド内周面との間に配設された２つのコロで構成され、該２つのコロは、コロ同士が転動可能に接触すると共に、ボス部外周面及びチェーンガイド内周面に転動可能に接触していることを特徴とする請求項１記載のチェーンガイド装置。
【請求項４】
前記保持具は、前記ボス部外周面とチェーンガイド内周面との間の設けられたスペーサで構成され、該スペーサは、ボス部外周面及びチェーンガイド内周面に摺動接触していることを特徴とする請求項１記載のチェーンガイド装置。
【発明の詳細な説明】
【０００１】
【発明の属する技術分野】
本発明は、ローラチェーン伝動装置又はブシュチェーン伝動装置のスプロケットにチェーンが噛み込む部分及び噛み外れる部分で、多角形運動に起因するチェーンの走行軌跡変動が防止されるようにしたチェーンガイド装置に関する。
【０００２】
【従来の技術】
一般に、ローラチェーン又はブシュチェーンがスプロケットに懸回されて伝動装置として使用される場合、チェーンが多角形運動する。最も単純なスプロケット歯が５枚である場合、図９に示すように、チェーンの噛合による多角形運動により、チェーンのスプロケットへの噛み込み部分及び噛み外れ部分において、上限にあるチェーン走行軌跡Ｌ１は、スプロケットが半ピッチ回転すると、変動幅Ｌだけ下限のチェーン走行軌跡Ｌ２に変動する。このとき、チェーンのリンクプレート端面、すなわちスプロケット中心側に位置するチェーン端面の走行軌跡も同じ変動幅Ｌで変動する。このチェーン走行軌跡の変動により、弦振動や騒音が発生する。
【０００３】
従来、チェーン走行軌跡の変動により発生する弦振動や騒音を防止するための技術として、図１０（ａ）、（ｂ）に示すように、スプロケット５１の歯の間に円周面溝５１ａを設けると共に、この円周面溝５１ａに挿入される案内部５２ａが備えられた案内具５２をチェーンの進入位置に設けたチェーンガイド装置が公知（例えば、特許文献１）である。
【０００４】
図１１（ａ）、（ｂ）に示すように、外周面に環状溝６２ａが形成されたスプロケット６２と、この環状溝６２ａに回転可能に嵌装された略々Ｃ字状の板状フローティングチェーンガイド６３とからなるフローティングチェーンガイド装置６１が公知（例えば、特許文献２）である。
【０００５】
また、チェーンがスプロケットに噛み込むときに発生する騒音を防止するために、緩衝用リング状部材をチェーンが懸回されるスプロケットに設けたチェーンスプロケットあるいは噛合騒音抑制装置等が公知（特許文献３，４）である。
【０００６】
【特許文献１】
特開昭５４−５８１６３号公報
【特許文献２】
特許第２８９５７７６号公報
【特許文献３】
特公昭５３−４７８６２号公報
【特許文献４】
特開昭５４−７９３５９号公報
【０００７】
【発明が解決しようとする課題】
従来のチェーンガイド装置（特許文献１）は、円周面溝５１ａに案内部５２ａを挿入するため、スプロケット５１と案内具５２とが干渉し、噛み合い直前までチェーンをガイドすることができず、また案内具５２をチェーンが懸回されたスプロケットの外側に固定するための構造や設置スペースが必要になる、という問題があった。
【０００８】
従来のフローティングチェーンガイド装置（特許文献２）は、板状フローティングチェーンガイドを嵌装するために、スプロケットの外周面に環状溝が形成されているが、この環状溝によって、スプロケット歯はその厚さ方向に２つに分割され、スプロケットの強度が低下する、という問題があった。
【０００９】
また、従来のチェーンスプロケットあるいは噛合騒音抑制装置（特許文献３，４）は、緩衝用リング状部材がスプロケットの溝部に係合したり、シャフトに嵌合されたカラーに係合するだけで、緩衝用リング状部材を支持する部材がないため、緩衝用リング状部材は上下移動し易く、緩衝用リング状部材を固定位置で保持することができない、という問題があった。
【００１０】
そこで、本発明は、前述したような従来技術の問題点を解決し、チェーンガイドを上下移動することなく固定位置で回転可能に保持でき、簡単な構造で、ローラチェーンやブシュチェーンの弦振動や騒音の発生を防止することができると共に、設置スペースを不要とすることができ、スプロケット歯の強度低下を防止できるチェーンガイド装置を提供することを目的とする。
【００１１】
【課題を解決するための手段】
本発明は、スプロケットのボス部に支持された保持具でリング状のチェーンガイドを回転可能に保持し、チェーンが噛み込む部分及び噛み外れる部分で、多角形運動によるチェーン走行軌跡の少なくとも上限でチェーンを常時チェーンガイドに摺接あるいは転動接触させて案内することにより、チェーンの多角形運動による弦振動を防止する、という構想に基づいて前記問題点を解決したものである。
【００１２】
上記構想に基づいて、請求項１に係る本発明は、スプロケットの両側ボス部端部に固定されたフランジとスプロケット歯との間に支持された保持具と、該スプロケットに対して偏心態様で該保持具により固定位置で回転可能に保持されたリング状のチェーンガイドとで構成されてなるチェーンガイド装置において、チェーンが通常スプロケットに噛み込む部分及び噛み外れる部分における多角形運動上限にあり、スプロケット中心側に位置するチェーン端面と該チェーン端面に平行でスプロケットの中心を通る基準線との離間距離をＮとし、前記チェーンガイドの外周半径をＲとした場合、Ｎ≦Ｒの関係にあるチェーンガイド装置、という構成としたものである。
請求項２に係る本発明は、請求項１のチェーンガイド装置において、前記保持具が、前記ボス部外周面とチェーンガイド内周面との間に設けられたリテーナと、該リテーナの両側に配設された２つのコロとで構成され、それぞれのコロは、ボス部外周面、リテーナ表面及びチェーンガイド内周面に転動可能に接触しているという構成としたものである。
請求項３に係る本発明は、請求項１のチェーンガイド装置において、前記保持具が、前記ボス部外周面とチェーンガイド内周面との間に配設された２つのコロで構成され、該２つのコロは、コロ同士が転動可能に接触すると共に、ボス部外周面及びチェーンガイド内周面に転動可能に接触している、という構成としたものである。
請求項４に係る本発明は、請求項１のチェーンガイド装置において、前記保持具が、前記ボス部外周面とチェーンガイド内周面との間の設けられたスペーサで構成され、該スペーサは、ボス部外周面及びチェーンガイド内周面に摺動接触している、という構成としたものである。
【００１３】
【作用】
各請求項に係る本発明の場合、リング状のチェーンガイドがスプロケットの両側ボス部に支持された保持具により固定位置で回転可能に保持されていることにより、チェーンガイドが移動しないように保持される。それと共に、走行するチェーンとの摺動接触時にチェーンガイドが回転して接触位置がずれるので、チェーンガイド外周面の摩耗が抑制される。また、チェーンが通常スプロケットに噛み込む部分及び噛み外れる部分における多角形運動上限にあり、スプロケット中心側に位置するチェーン端面と該チェーン端面に平行でスプロケットの中心を通る基準線との離間距離をＮとし、前記チェーンガイドの外周半径をＲとした場合、Ｎ≦Ｒの関係にあることにより、チェーンガイド外周面にチェーンの端面が常時接触あるいは摺接するので、チェーンの多角形運動が抑制され、チェーンの走行軌跡が一定に維持される。その結果、噛み込み部分及び噛み外れ部分におけるチェーンの弦振動が防止され、チェーンのローラがスプロケットに噛合するときの衝突音、チェーンの弦振動によるうなり音等の騒音発生が防止される。
【００１４】
【発明の実施の形態】
本発明の実施例１を図１〜図３に基づいて説明する。図１はフランジの図示を省略したチェーンガイド装置の正面図、図２はチェーンガイド装置の斜視図、図３は噛み込む部分、噛み外れ部分の断面図である。チェーンガイド装置１１は、以下詳述するが、スプロケット１２と保持具１６と合成樹脂製のチェーンガイド１７とで構成される。
【００１５】
スプロケット１２の両側ボス部１２ａの最外側、すなわち先端にドーナツ形状のフランジ１３が固定される。図３に示すように、このフランジ１３の固定により、保持具１６がスプロケット歯１２ｂとフランジ１３との間に支持される。
【００１６】
保持具１６は、ボス部１２ａ外周面とチェーンガイド１７内周面との間に設けられたリテーナ１４と、このリテーナ１４の両側に設けられた２つのコロ１５，１５とで構成される。図１に示すように、リング状のチェーンガイド１７は、保持具１６とボス部１２ａとにより支持され、スプロケット１２に対して偏心態様で回転可能に保持される。この場合、両側ボス部１２ａの端部にフランジ１３が固定されていることにより、チェーンガイド１７は軸方向の移動が阻止されて外れないようになる。そして、２つのコロ１５，１５は、ボス部１２ａ外周面とリテーナ１４表面とチェーンガイド１７内周面に転動可能に接触する。
【００１７】
チェーン１８がスプロケット１２に噛み込む部分及び噛み外れる部分において、チェーン１８が摺接するチェーンガイド１７の外周部位１７ａ、１７ａは、多角形運動上限Ｍにあり、スプロケット中心側に位置するチェーン端面１８ａと同じレベル又は上限を超えるレベルに位置する。
【００１８】
また、スプロケット１２にリング状のチェーンガイド１７が偏心態様で設けられていることにより、チェーン１８がスプロケット１２に巻き付いた部分Ｑにおけるチェーンガイド１７の外周部位１７ｂは、巻き付き走行するチェーン１８の端面１８ａに接する箇所に位置するか又はスプロケット１２の中心側に寄った箇所に位置している。尚、図３中の１８ｂ、１８ｃは、それぞれチェーン１８の内外リンクプレートである。
【００１９】
チェーンガイド１７の外周部位１７ａ、１７ｂが上記のようなレベル、箇所に位置していることにより、図１に示すように、チェーン１８がスプロケット１２に噛み込む部分及び噛み外れる部分における多角形運動上限Ｍにあるチェーン端面１８ａとこのチェーン端面１８ａに平行でスプロケット１２の中心を通る基準線Ｏとの離間距離をＮとし、リング状のチェーンガイド１７の外周半径をＲとした場合、Ｎ≦Ｒの関係にある。なお、チェーン端面１８ａの走行軌跡は、チェーン中心の走行軌跡に対してリンクプレートの半幅分ずれている。
【００２０】
図７に、スプロケットに懸回されて走行するチェーンの機構解析によるシミュレーション結果を示す。この機構解析は、歯数１８Ｔのスプロケットに、ピッチ９．５２５ｍｍのチェーンを懸回して行なったものである。ここで、リンクプレート中心とは、図８（ａ）に示すように、リンクプレート１８ｂあるいは、リンクプレート１８ｃの中心部分１８ｄであり、リンクプレート中心の水平位置、リンクプレート中心の垂直位置とは、図８（ｂ）に示すように、それぞれＸ軸方向位置、Ｙ軸方向位置のことである。尚、図７中の「従来例」は特許文献３のチェーンスプロケットのものであり、「本発明」は実施例１〜４のチェーンガイド装置のものである。
【００２１】
図７のシミュレーション結果によると、チェーンガイドを設けない場合は、スプロケットが半ピッチ回転する毎に垂直位置が変動し、その垂直位置の変動幅が２７．４２−２７．００＝０．４２ｍｍであり、従来例の場合は、２７．５８−２７．３６＝０．２２ｍｍである。これに対し、本発明（実施例１）のチェーンガイド（Ｎ＝Ｒ）を設けた場合には、その変動幅が２７．５−２７．４２＝０．０８ｍｍであるというように、本発明の方が変動幅が小さいため、チェーンの走行軌跡は一定に維持される。
【００２２】
上記構成からなるチェーンガイド装置１１の作用効果は次のとおりである。スプロケット１２の矢印方向回転に伴って、チェーン１８が噛み込み部に進入し、噛み外れ部から繰り出される。このときチェーンガイドがないと、チェーン１８の多角形運動により半ピッチ回転するごとにチェーン１８が多角形運動上限Ｍから下限に変動する。しかし、Ｎ≦Ｒの関係にあるチェーンガイド１７が設けられていることにより、噛み込み部分及び噛み外れ部分で、図１、図３に示すように、チェーンの多角形運動上限Ｍレベルにあるチェーンガイド１７の外周部位１７ａに、チェーン端面１８ａが摺接してガイドされるので、チェーン１８の多角形運動が抑制され、チェーンの走行軌跡は一定に維持される。
【００２３】
その結果、噛み込み部分及び噛み外れ部分におけるチェーンの弦振動、チェーンローラがスプロケットに噛合するときの衝突音、チェーンの弦振動によるうなり音等の騒音発生を防止することができる。また、チェーンガイド１７がコロ１５、リテーナ１４等からなる保持具１６とボス部１２ａとにより回転可能に保持されているので、チェーンガイド１７を位置固定して保持することができる。それと共に、チェーン１８の走行に伴ってコロ１５の摩擦抵抗を受けて、チェーンガイド１７が僅かずつ回転することにより接触位置がずれるので、その外周面の摩耗を抑制することができる。
【００２４】
実施例２を図４に基づいて説明する。この実施例２のチェーンガイド装置２１は、前記実施例１のチェーンガイド装置とチェーンガイドの保持具を構成するリテーナが異なる。図４はフランジの図示を省略したチェーンガイド装置２１の正面図である。
【００２５】
前記実施例１と同様に、スプロケット１２の両側ボス部１２ａ端部にフランジ（図示略）が固定され、このフランジの固定により、保持具２６がスプロケット歯１２ｂとフランジとの間に支持される。
【００２６】
保持具２６は、ボス部１２ａ外周面とチェーンガイド２７内周面との間に設けられたリテーナ２４と、このリテーナ２４の両側凹溝部２４ａに設けられ２つのコロ２５，２５とで構成される。図４に示すように、リング状のチェーンガイド２７が、保持具２６とボス部１２ａとによりスプロケット１２に対して偏心態様で固定位置に回転可能に保持される。この場合、両側ボス部１２ａの端部にフランジが固定されていることにより、チェーンガイド２７は外れないようになる。そして、２つのコロ２５，２５は、ボス部１２ａ外周面とリテーナ２４凹溝部表面２４ａとチェーンガイド２７内周面とに転動可能に接触する。
【００２７】
このチェーンガイド装置２１は、前記実施例１のチェーンガイド装置１１と同様に、チェーン１８が噛み込む部分及び噛み外れる部分におけるチェーンガイド２７の外周部位２７ａ、２７ａは、多角形運動上限Ｍにあり、スプロケット中心側に位置するチェーン端面１８ａと同じレベル又は上限を超えるレベルに位置する。
【００２８】
また、チェーン１８がスプロケット１２に巻き付いた部分Ｑにおけるチェーンガイド２７の外周部位２７ｂは、巻き付き走行するチェーン１８の端面１８ａに接する箇所に位置するか又はスプロケット１２の中心側に寄った箇所に位置している。
【００２９】
そして、多角形運動上限Ｍに位置するチェーン端面１８ａとこのチェーン端面１８ａに平行なスプロケット中心を通る基準線Ｏとの離間距離をＮとし、リング状のチェーンガイド２７の外周半径をＲとすると、Ｎ≦Ｒの関係にある。
【００３０】
機構解析によるシミュレーション結果は、図７に示すとおりであり、本発明（実施例２）のチェーンガイドを設けた場合には、チェーンガイドを設けないもの、従来例のものに比べて、本発明の方が変動幅が小さい。
【００３１】
上記構成からなるチェーンガイド装置２１の作用効果は次のとおりである。Ｎ≦Ｒの関係にあるチェーンガイド２７が設けられていることにより、噛み込み部分及び噛み外れ部分で、図４に示すように、チェーンの多角形運動上限Ｍレベルにあるチェーンガイド２７の外周部位２７ａに、チェーン端面１８ａが摺接してガイドされるので、チェーン１８の多角形運動が抑制され、チェーンの走行軌跡は一定に維持される。
【００３２】
その結果、噛み込み部分及び噛み外れ部分におけるチェーンの弦振動、チェーンローラがスプロケットに噛合するときの衝突音、チェーンの弦振動によるうなり音等の騒音発生を防止することができる。また、チェーンガイド２７がリテーナ２４、コロ２５等からなる保持具２６とボス部１２ａとにより回転可能に保持されているので、チェーンガイド２７を位置固定して保持することができる。それと共に、チェーンガイド２７は、チェーン１８の走行に伴って、リテーナ２４、コロ２５の摩擦抵抗を受けて僅かずつ回転することにより接触位置がずれるので、その外周面の摩耗を抑制することができる。
【００３３】
実施例３を図５に基づいて説明する。この実施例３のチェーンガイド装置３１は、前記実施例１、２のチェーンガイド装置とチェーンガイドの保持具が異なる。図５はフランジの図示を省略したチェーンガイド装置の正面図である。
【００３４】
前記実施例１と同様に、スプロケット１２の両側ボス部１２ａ端部にフランジ（図示略）が固定され、このフランジの固定により、保持具３６がスプロケット歯１２ｂとフランジとの間に支持される。
【００３５】
保持具３６は、ボス部１２ａ外周面に設けられ２つのコロ３５，３５で構成される。図５に示すように、リング状のチェーンガイド３７が、保持具３６とボス部１２ａとによりスプロケット１２に対して偏心態様で回転可能に保持される。この場合、両側ボス部１２ａの端部にフランジが固定されていることにより、チェーンガイド３７は外れないようになる。そして、２つのコロ３５，３５は、同じ方向に回転して接触すると共に、ボス部１２ａ外周面とチェーンガイド３７内周面に転動可能に接触する。
【００３６】
このチェーンガイド装置３１は、前記実施例１のチェーンガイド装置１１と同様に、チェーン１８が噛み込む部分及び噛み外れる部分におけるチェーンガイド３７の外周部位３７ａ、３７ａは、多角形運動上限Ｍにあり、スプロケット中心側に位置するチェーン端面１８ａと同じレベル又は上限を超えるレベルに位置する。
【００３７】
また、チェーン１８がスプロケット１２に巻き付いた部分Ｑにおけるチェーンガイド３７の外周部位３７ｂは、巻き付き走行するチェーン１８の端面１８ａに接する部位に位置するか又はスプロケット１２の中心側に寄った部位に位置している。
【００３８】
そして、多角形運動上限Ｍに位置するチェーン端面１８ａとこのチェーン端面１８ａに平行なスプロケット中心を通る基準線Ｏとの離間距離をＮとし、リング状のチェーンガイド３７の外周半径をＲすると、Ｎ≦Ｒの関係にある。
【００３９】
機構解析によるシミュレーション結果は、図７に示すとおりであり、本発明（実施例３）のチェーンガイドを設けた場合には、チェーンガイドを設けないもの、従来例のものに比べて、本発明の方が変動幅が小さい。
【００４０】
上記構成からなるチェーンガイド装置３１の作用効果は次のとおりである。Ｎ≦Ｒの関係にあるチェーンガイド３７が設けられていることにより、噛み込み部分及び噛み外れ部分で、図５に示すように、チェーンの多角形運動上限Ｍレベルにあるチェーンガイド３７の外周部位３７ａに、チェーン端面１８ａが摺接してガイドされるので、チェーン１８の多角形運動が抑制され、チェーンの走行軌跡は一定に維持される。
【００４１】
その結果、噛み込み部分及び噛み外れ部分におけるチェーンの弦振動、チェーンローラが噛合するときの衝突音、チェーンの弦振動によるうなり音等の騒音発生を防止することができる。また、チェーンガイド３７は、２つのコロ３５，３５からなる保持具３６とボス部１２ａとにより回転可能に保持されているので、チェーンガイド３７を位置固定して保持することができる。それと共に、チェーンガイド３７は、チェーン１８の走行に伴って、コロ同士の接触回転による摩擦抵抗を受けて僅かずつ回転することにより接触位置がずれるので、その外周面の摩耗を抑制することができる。
【００４２】
実施例４を図６に基づいて説明する。この実施例４のチェーンガイド装置４１は、前記実施例１〜３のチェーンガイド装置とチェーンガイドの保持具が異なる。図６はフランジの図示を省略したチェーンガイド装置の正面図である。
【００４３】
前記実施例１と同様に、スプロケット１２の両側ボス部１２ａ端部にフランジ（図示略）が固定され、このフランジの固定により、保持具４６がスプロケット歯１２ｂとフランジとの間に支持される。
【００４４】
保持具４６は、図６（ａ）に示すように、略々馬蹄形のスペーサ４５からなり、この保持具４６であるスペーサ４５の内面４５ａがボス部１２ａに嵌合し、外面４５ｂがリング状のチェーンガイド４７内周面に嵌合する。このリング状のチェーンガイド４７は、スペーサ４５とボス部１２ａとによりスプロケット１２に対して偏心態様で回転可能に保持される。この場合、両側ボス部１２ａの端部にフランジが固定されていることにより、チェーンガイド４７は外れないようになる。
【００４５】
このチェーンガイド装置４１は、前記実施例１のチェーンガイド装置１１と同様に、チェーン１８が噛み込む部分及び噛み外れる部分におけるチェーンガイド４７の外周部位４７ａ、４７ａは、多角形運動上限Ｍにあり、スプロケット中心側に位置するチェーン端面１８ａと同じレベル又は上限を超えるレベルに位置する。
【００４６】
また、チェーン１８がスプロケット１２に巻き付いた部分Ｑにおけるチェーンガイド４７の外周面４７ｂは、巻き付き走行するチェーン１８の端面１８ａに接する箇所に位置するか又はスプロケット１２の中心側に寄った箇所に位置している。
【００４７】
そして、多角形運動上限Ｍに位置するチェーン端面１８ａとこのチェーン端面１８ａに平行なスプロケット中心を通る基準線Ｏとの離間距離をＮとし、リング状のチェーンガイド４７の外周半径をＲとすると、Ｎ≦Ｒの関係にある。
【００４８】
機構解析によるシミュレーション結果は、図７に示すとおりであり、本発明（実施例４）のチェーンガイドを設けた場合には、チェーンガイドを設けないもの、従来例のものに比べて、本発明の方が変動幅が小さい。
【００４９】
上記構成からなるチェーンガイド装置４１の作用効果は次のとおりである。Ｎ≦Ｒの関係にあるチェーンガイド４７が設けられていることにより、噛み込み部分及び噛み外れ部分で、図６（ａ）に示すように、チェーンの多角形運動上限Ｍレベルに位置しているチェーンガイド外周部位４７ａに、チェーン端面１８ａが摺接してガイドされるので、チェーン１８の多角形運動が抑制され、チェーン１８の走行軌跡は一定に維持される。
【００５０】
その結果、噛み込み部分及び噛み外れ部分におけるチェーンの弦振動、チェーンローラがスプロケットに噛合するときの衝突音、チェーンの弦振動によるうなり音等の騒音発生を防止することができる。また、チェーンガイド４７が略々馬蹄形のスペーサ４５からなる保持具４６とボス部１２ａとにより回転可能に保持されているので、チェーンガイド４７を位置固定して保持することができる。それと共に、チェーンガイド４７は、チェーン１８の走行に伴って僅かずつ回転することにより接触位置がずれるので、その外周面の摩耗を抑制することができる。
【００５１】
この実施例４では、保持具であるスペーサ４５が馬蹄形のものとして説明したが、変形例として、図６（ｂ）に示すように、馬蹄形の端部が連続した切れ目のないスペーサ４５’としてもよい。この場合も、チェーンの多角形運動上限Ｍレベルに位置しているチェーンガイド外周部位４７ａに、チェーン端面１８ａが摺接してガイドされるので、チェーン１８の多角形運動が抑制され、チェーン１８の走行軌跡は一定に維持される。
【００５２】
上記実施例１〜４について説明したが、本発明のチェーンガイド装置が適用されるチェーンとしては、ローラチェーンのほかに、ローラのないブシュチェーンであっても構わない。チェーンガイドは合成樹脂製のもの、金属製のもの、あるいは金属表面に合成樹脂を被覆したものいずれでもよい。また、リング状のチェーンガイドは、径方向の厚さは任意の厚さでよく、幅はチェーンの内外リンクプレートと略々同じ厚さであればよい。保持具を構成するリテーナ、コロ、スペーサ等の材質は、金属製、合成樹脂製いずれでもよい。また、各実施例において、スプロケットの回転が一方向のものについて説明したが、スプロケットの回転は正逆のいずれでも良く、この場合も同じ作用効果を奏し、チェーンガイド装置は駆動側、従動側いずれに適用されても構わない。
【００５３】
【発明の効果】
本発明のチェーンガイド装置によれば、リング状のチェーンガイドがスプロケットの両側ボス部で支持された保持具により固定位置で保持されているので、チェーンガイドを位置固定して保持することができる。また、従来技術のように、スプロケット歯に環状溝を形成する必要がないため、スプロケット歯の強度低下を防止することができると共に、スプロケットの内側にチェーンガイドが組み込まれていることにより、スプロケットの外側に設けるための設置スペースを不要とすることができる。さらに、チェーンガイドが回転可能であることにより、その外周面の摩耗を抑制することができる。
【００５４】
チェーンが前記スプロケットに噛み込む部分及び噛み外れる部分における多角形運動上限にあり、スプロケット中心側に位置するチェーン端面と該チェーン端面に平行でスプロケットの中心を通る基準線との離間距離をＮとし、前記チェーンガイドの外周半径をＲとした場合、Ｎ≦Ｒの関係にあることにより、チェーンがスプロケットに噛み込む部分及び噛み外れる部分におけるチェーンガイドの外周面が、チェーン多角形運動上限と同じレベル又は上限を僅かに超えるレベルに位置することになるので、噛み込み部分及び噛み外れ部分で、チェーンガイド外周面にチェーンが常時接触あるいは摺接し、噛み合い直前までチェーンをガイドすることができると共に、チェーンの多角形運動を抑制することができ、噛み込み部分及び噛み外れ部分におけるチェーンの走行軌跡を一定に維持することができる。
【００５５】
その結果、噛み込み部分及び噛み外れ部分におけるチェーンの弦振動を防止することができ、チェーンのローラが噛合するときの衝突音、チェーンの弦振動によるうなり音等の騒音発生を防止することができる。
【図面の簡単な説明】
【図１】本発明実施例１を示し、フランジの図示を省略したチェーンガイド装置の正面図である。
【図２】同上、チェーンガイド装置の斜視図である。
【図３】同上、チェーンの噛み込み部分、噛み外れ部分の断面図である。
【図４】実施例２を示し、フランジの図示を省略したチェーンガイド装置の正面図である。
【図５】実施例３を示し、フランジの図示を省略したチェーンガイド装置の正面図である。
【図６】実施例４を示し、（ａ）はフランジの図示を省略したスペーサを有するチェーンガイド装置の正面図、（ｂ）は他のスペーサを有するチェーンガイド装置の正面図である。
【図７】機構解析によるシミュレーション結果を示すグラフである。
【図８】（ａ）はリンクプレート中心の説明図であり、（ｂ）はリンクプレート中心の水平位置、垂直位置の説明図である。
【図９】多角形運動の説明図である。
【図１０  】従来のチェーンガイド装置を示し、（ａ）はチェーンガイド装置の斜視図であり、（ｂ）は同正面図である。
【図１１】（ａ）は従来のフローティングチェーンガイド装置の正面図、（ｂ）は同断面図である。
【符号の説明】
１１，２１，３１，４１  チェーンガイド装置
１２    スプロケット
１２ａ  ボス部
１２ｂ  スプロケット歯
１３    フランジ
１４    リテーナ
１５    コロ
１６    保持具
１７    チェーンガイド
１７ａ、１７ｂ  外周部位
１８    チェーン
１８ａ  チェーン端面
１８ｂ、１８ｃ  内外リンクプレート
１８ｄ  中心部分
２４    リテーナ
２４ａ  凹溝部
２５    コロ
２６    保持具
２７    チェーンガイド
２７ａ、２７ｂ  外周部位
３５    コロ
３６    保持具
３７    チェーンガイド
３７ａ、３７ｂ  外周部位
４５    スペーサ
４５ａ  内面
４５ｂ  外面
４５’  スペーサ
４６    保持具
４７    チェーンガイド
４７ａ、４７ｂ  外周部位
Ｍ      多角形運動上限
Ｑ      チェーンが巻き付いた部分
Ｒ      チェーンガイドの外周半径
Ｏ      基準線
Ｎ      離間距離
【図１】
2004360764.tif 000003
【図２】
2004360764.tif 000004
【図３】
2004360764.tif 000005
【図４】
2004360764.tif 000006
【図５】
2004360764.tif 000007
【図６】
2004360764.tif 000008
【図７】
2004360764.tif 000009
【図８】
2004360764.tif 000010
【図９】
2004360764.tif 000011
【図１０】
2004360764.tif 000012
【図１１】
2004360764.tif 000013